(57)【要約】【課題】プリオン感染した物質で汚染された表面の処理の新規の改良された方法を提供すること。【解決手段】プリオンで汚染された表面または液体の汚染除去の方法は、上記表面を、一種以上のフェノールを含有する組成物で処理する工程を包含する。特に有効であるフェノールとしては、ｐ−クロロ−ｍ−キシラノール、チモール、トリクロサン、４−クロロ，３−メチルフェノール、ペンタクロロフェノール、ヘキサクロロフェン、２，２−メチル−ビス（４−クロロフェノール）およびｐ−フェニルフェノールが挙げられる。本発明の別の局面に従う、プリオンで汚染されている物質上でフェノールベースの汚染除去組成物の有効性を決定する方法が提供される。【選択図】図１
2010131430.tif 000002
【特許請求の範囲】
【請求項１】
明細書に記載の発明。
【発明の詳細な説明】
【技術分野】
【０００１】
（発明の背景）
本発明は、生物学的汚染除去の分野に関する。
【背景技術】
【０００２】
本発明は、医療器具、歯科用器具および薬学的器具から有害な生物学的物質（例えば、プリオン（タンパク質性感染物質））の除去および／または死滅と関連した特定の適用を見出し、それに対する特定の言及により記載される。しかし、本発明の方法およびシステムが、プリオン感染した物質で汚染された幅広い範囲の装置、器具および他の表面（例えば、薬学的調製物設備、食品加工設備、実験動物研究設備（床、作業表面、機器、ケージ、発酵槽、流体ラインなどが挙げられる））の生物学的汚染除去に利用され得ることが、理解される。
【０００３】
用語「プリオン」は、ヒトおよび／または動物において、比較的類似する、必ず致命的である脳疾患を引き起こすタンパク質性感染物質を記載するために使用される。これらの疾患は、一般的に、感染性海綿状脳症（ＴＳＥ）と呼ばれる。ＴＳＥとしては、ヒトにおけるクロイツフェルトヤーコプ病（ＣＪＤ）および変異型ＣＪＤ（ｖＣＪＤ）、ウシにおけるウシ海綿状脳症（ＢＳＥ）、ヒツジにおける「狂牛病」としても知られるスクラピー、ならびにヘラジカにおける消耗病が挙げられる。これらの疾患は全て、特定の疾患に感受性の動物の神経性器官を攻撃する。これらは、最初に長い潜伏期間があり、その後短い期間の神経性の症状（痴呆および協調運動障害を含む）が続くことによって特徴づけられ、最終的には死に至る。
【０００４】
これらの疾患の原因となる感染物質は、核酸とは関連しない単純なタンパク質であると考えられている。このようなプリオン疾患の病原性機構は、最初は正常な宿主のコードされたタンパク質に関与すると考えられている。タンパク質は、異常な形態（プリオン）に構造変化を受け、このタンパク質は、自己増殖能を有する。この変化の正確な原因は、現在分かっていない。この異常な形態のタンパク質は、体内で効率的には分解されず、特定の組織（特に神経組織）におけるそのタンパク質の蓄積が、最終的には、組織の損傷（例えば、細胞死）を引き起こす。一旦、顕著な神経組織損傷が生じると、臨床的な徴候が観察される。
【０００５】
従って、プリオン疾患は、タンパク質凝集疾患と分類され得、これにはまたいくつかの他の致命的な疾患（例えば、アルツハイマー病およびアミロイド症）が含まれる。ヒトにおいて最も流行している（集団の約１：１，０００，０００に生じる）プリオン疾患であるＣＪＤの場合、症例の約８５％は、散在的に生じ、約１０％は、遺伝的であり、約５％は、医原性に生じると考えられる。
【０００６】
プリオン疾患は、高度に伝染性であるとは考えられないが、特定の危険性の高い組織（脳、脊髄、脳髄液および眼）を介して感染し得る。いくつかの手順（硬膜移植、角膜移植、心膜同種移植を含む）の間の、ならびにヒト性腺刺激ホルモン汚染およびヒト成長ホルモン汚染を介する医原性の感染が報告されている。医療デバイスによる感染（神経外科的器具、深部電極および中枢神経系に近接する外科的手順に使用される他のデバイスからが挙げられる）もまた報告されている。プリオン感染の点からは「低リスク」であるとこれまで考えられた手順（例えば、扁桃摘出術および歯科手順）は、特にプリオンに関連する疾患の発生率が増加する場合、受け入れ難い感染のリスクを引き起こし得るという懸念が生じている。
【０００７】
プリオン感染した患者に対する外科的手順の後、プリオンを含む残留物が、外科器具、特に神経外科器具および眼科器具に残存し得る。長期の潜伏期間の間、外科手術の候補者がプリオン保有者であるか否かを決定することは、極端に難しい。
【０００８】
種々のレベルの細菌汚染除去が、当該分野で認識されている。例えば、衛生化は、洗浄による夾雑物または細菌の除去を意味する。消毒は、有害な微生物を死滅させるために、洗浄を必要とする。最も高レベルの生物学的汚染制御である、滅菌は、全ての生存する微生物の死滅を意味する。
【０００９】
従来の意味で、生存しないか、または繁殖しない特定の生体物質（例えば、プリオン）は、それでもやはり有害な存在に複製および／または変形し得ることが現在公知である。本発明者らは、本明細書中で、用語「非活性化」を、このような有害な生体物質（例えば、プリオン）の死滅、および／またはそれらの複製する能力または有害な種への構造変化を受ける能力の破壊を包含するように使用する。
【００１０】
プリオンは、非常に丈夫であり、かつ従来の汚染除去の方法および滅菌方法に耐性を示すことが知られている。微生物とは違って、プリオンは、破壊または崩壊させるべきＤＮＡまたはＲＮＡを有さない。プリオンは、その疎水性の性質に起因して、一緒に凝集して不溶性の塊になる傾向がある。首尾よく微生物の滅菌を導く多くの条件下で、プリオンは、密な塊を形成し、そのことにより滅菌プロセスからプリオン自体および内在するプリオンを保護する。
【００１１】
世界保健機関（１９９７）のプリオン非活性化のためのプロトコルは、器具を、濃水酸化ナトリウムまたは濃次亜塩素酸ナトリウム中に２時間浸漬し、その後１時間オートクレーブすることを要求する。これらの積極的な処理は、多くの場合、医療デバイス（特に、屈曲性の内視鏡およびプラスチック部分、真鍮部分もしくはアルミニウム部分を有する他のデバイス）に適合しない。多くのデバイスは、高温に曝露することにより損傷を受ける。強アルカリなどの化学的処理は、一般的に、医療デバイス材質または表面に損傷を与える。グルタルアルデヒド、ホルムアルデヒド、エチレンオキサイド、液体過酸化水素、大部分のフェノール類、アルコール類、および乾熱、煮沸、凍結、ＵＶ、電離およびマイクロ波照射のようなプロセスは、一般的に効果がないと報告されている。プリオンに対して有効で、なお表面とは適合性である製品およびプロセスに対する明確な必要性が存在する。
【００１２】
ＥｒｎｓｔおよびＲａｃｅ（非特許文献１）は、フェノールベースの殺菌剤製品（ＬｐＨＴＭ、ＳＴＥＲＩＳ  Ｃｏｒｐ．、Ｍｅｎｔｏｒ、Ｏｈｉｏから入手可能である）が、スクラピーに対して有効であることが見出された研究を記載していて、この製品は、著者らに従うと、ｐ−第三級アミノフェノール、ｏ−ベンジル−ｐ−クロロフェノールおよび２−フェニルフェノールを含む。この研究は、ハムスター脳ホモジェネートを注入したスクラピー感受性のハムスターモデルから取り除かれた感染のレベルに対する濃度（０．９〜９０％）の効果および曝露時間（０．５〜１６時間）の効果を調べた。比較的高濃度のＬｐＨＴＭまたは長時間が、プリオンの存在の減少に有効であることが見出された。他の研究において、フェノールは、一般的に、プリオンに対して有効でないことが見出されている。
本発明は、プリオン感染した物質で汚染された表面の処理の新規の改良された方法を提供し、この方法は、上で参照した問題などを克服する。
【先行技術文献】
【非特許文献】
【００１３】
【非特許文献１】Ｊ．Ｖｉｒｏｌ．Ｍｅｔｈｏｄｓ  ４１：１９３〜２０２（１９９３）
【発明の概要】
【課題を解決するための手段】
【００１４】
（発明の要旨）
本発明の一局面に従う、プリオンで汚染された物体を処理する方法が提供される。本方法は、上記物体を、フェノールを含有する組成物と接触させ、物体上のプリオンを不活性化する工程を包含する。
本発明は、例えば以下の項目を提供する。
（項目１）
プリオンで汚染された物体を処置する方法であって、該方法は、以下：
該物体を、該物体のプリオンを不活性化するために、フェノールを含有する組成物と接触させる工程、
を包含する、方法。
（項目２）
項目１に記載の方法であって、以下：
前記フェノールが、ｐ−クロロ−ｍ−キシラノール、チモール、トリクロサン、４−クロロ，３−メチルフェノール、ペンタクロロフェノール、ヘキサクロロフェン、２，２−メチル−ビス（４−クロロフェノール）およびｐ−フェニルフェノールからなる群の少なくとも一種を含むこと、
によってさらに特徴づけられる、方法。
（項目３）
項目２に記載の方法であって、以下：
前記組成物が、ｏ−フェニルフェノールおよびｏ−ベンジル−ｐ−クロロフェノールのうちの少なくとも一種をさらに含有すること、
によってさらに特徴づけられる、方法。
（項目４）
項目３に記載の方法であって、以下：
前記フェノールが、少なくとも０．００５Ｍの濃度であること、
によってさらに特徴づけられる、方法。
（項目５）
項目１〜４のいずれか１項に記載の方法であって、以下：
前記フェノールが、約０．２Ｍまでの濃度であること、
によってさらに特徴づけられる、方法。
（項目６）
項目１〜５のいずれか１項に記載の方法であって、以下：
前記フェノールが、２と６．５との間のｌｏｇＰｃ値を有すること、
によってさらに特徴づけられる、方法。
（項目７）
項目６に記載の方法であって、以下：
前記フェノールが、２と５との間のｌｏｇＰｃ値を有すること、
によってさらに特徴づけられる、方法。
（項目８）
項目６または７に記載の方法であって、以下：
前記フェノールが、少なくとも４のｌｏｇＰｃ値を有すること、
によってさらに特徴づけられる、方法。
（項目９）
項目１〜８のいずれか１項に記載の方法であって、以下：
前記組成物が、前記フェノールを少なくとも約１０％の濃度で含有すること、
によってさらに特徴づけられる、方法。
（項目１０）
項目１〜９のいずれか１項に記載の方法であって、以下：
前記組成物が、可溶性の無機塩を含有すること、
によってさらに特徴づけられる、方法。
（項目１１）
項目１０に記載の方法であって、以下：
前記可溶性の塩が、ナトリウム塩を含むこと、
によってさらに特徴づけられる、方法。
（項目１２）
項目１１に記載の方法であって、以下：
前記ナトリウム塩が、少なくとも２重量％の濃度で存在すること、
によってさらに特徴づけられる、方法。
（項目１３）
項目１１または１２に記載の方法であって、以下：
前記フェノールが、ｏ−フェニルフェノールを含むこと、
によってさらに特徴づけられる、方法。
（項目１４）
項目１３に記載の方法であって、以下：
前記塩が、塩化ナトリウムを含むこと、
によってさらに特徴づけられる、方法。
（項目１５）
項目１〜１４のいずれか１項に記載の方法であって、以下：
前記フェノールが、ｐ−クロロ，ｍ−キシラノール（ＰＣＭＸ）を含むこと、
によってさらに特徴づけられる、方法。
（項目１６）
項目１〜１５のいずれか１項に記載の方法であって、以下：
前記フェノールが、前記プリオンと複合化され、沈殿を形成すること、
によってさらに特徴づけられる、方法。
（項目１７）
項目１〜１６のいずれか１項に記載の方法であって、以下：
前記物体が表面を含み、該方法が、該表面を、該表面のプリオンを不活性化するために、前記フェノールを含有する前記組成物と接触させる工程を包含すること、
によってさらに特徴づけられる、方法。
（項目１８）
項目１〜１７のいずれか１項に記載の方法であって、以下：
前記物体が、医療器具、歯科用器具および薬学的器具からなる群の一種を備えること、によってさらに特徴づけられる、方法。
（項目１９）
プリオンで汚染されている物質上で、フェノールベースの汚染除去剤組成物の有効性を決定する方法であって、以下：
該フェノールベースの汚染除去剤溶液を、タンパク質と合わせる工程；
該タンパク質によって取り込まれたフェノールの量を決定する工程；および
該取り込まれたフェノールの量に基づいて、該組成物の有効性を決定する工程；
によって特徴づけられる、方法。
（項目２０）
項目１９に記載の方法であって、以下：
前記タンパク質が、プリオン含有物質およびウシ血清アルブミンのうちの少なくとも一種を含むこと、
によってさらに特徴づけられる、方法。
【００１５】
本発明の別の局面に従う、プリオンで汚染されている物質上でフェノールベースの汚染除去組成物の有効性を決定する方法が提供される。本方法は、フェノールベースの汚染除去溶液をタンパク質と合わせる工程、上記物質により取り込まれたフェノールの量を決定する工程、および取り込まれたフェノールの量に基づいて組成物の有効性を決定する工程を包含する。
【００１６】
本発明の１つの利点は、器具に対して穏やかであることである。
【００１７】
本発明の別の利点は、プリオンを迅速かつ効果的に不活性化することである。
【００１８】
本発明の別の利点は、広範な材質およびデバイスと適合性であることである。
【００１９】
本発明のなおさらなる利点は、以下の好ましい実施形態の詳細な説明を読み、理解すると、当業者に明らかになる。
【００２０】
全体を通して、以下の略語が使用される：
ＢＳＡ  ＝  ウシ血清アルブミン
ＯＢＰＣＰ  ＝  ｏ−ベンジル−ｐ−クロロフェノール
ＯＰＰ  ＝  ｏ−フェニルフェノール
ＰＣＭＸ  ＝  ｐ−クロロ，ｍ−キシラノール（ｐ−ｃｈｌｏｒｏ，ｍ−ｘｙｌａｎｏｌ）
ＰＴＡＰ  ＝  ｐ−第三級アミルフェノール
３，４ＤｉＯＨ  ｂｅｎｚｏｉｃ  ＝  ３，４ジヒドロキシ安息香酸
３，５ＤｉＭｅＯｐｈｅｎｏｌ  ＝  ３，５ジメトキシフェノール
２，６ＤｉＭｅＯｐｈｅｎｏｌ  ＝  ２，６ジメトキシフェノール
２，３ＤｉＭｅ−ｐｈｅｎｏｌ  ＝  ２，３ジメトキシフェノール。
本発明は、種々の成分および成分の配置、ならびに種々の工程および工程の配列の形態をとり得る。図面は、好ましい実施形態を例示する目的のみのためのものであり、本発明を制限すると解釈されるべきではない。
【図面の簡単な説明】
【００２１】
【図１】図１は、種々のフェノールの分配係数に対するｌｏｇ（減少したプリオン）を示すプロットである。
【図２】図２は、種々の方法により得られた分配係数間の相関を示すプロットである。
【図３】図３は、フェノールによるプリオンの減少に対する温度の効果を示すプロットである。
【図４】図４は、種々のフェノールのＢＳＡとの相互作用を示すプロットである。
【図５】図５は、種々のフェノールのＨＰＬＣ保持時間に対する吸収された初期濃度の百分率を示すプロットである。
【発明を実施するための形態】
【００２２】
（好ましい実施形態の詳細な説明）
有害なプリオンの減少または除去に関して、広範な物体（表面および液体を含む）に有効である殺菌剤組成物は、フェノールまたはフェノールの組合せを含有する。上記組成物が、プリオン汚染を除去または実質的に減少させる工程に有効である表面としては、医療手順、歯科手順および薬学的手順に使用される器具の表面、食品加工産業および飲料加工産業で使用される機器の表面および作業表面、壁、床、天井、発酵槽、流体供給ラインならびに病院、産業設備、研究室における他の潜在的に汚染された表面などが挙げられる。特定の例としては、廃棄前の医療廃棄物（例えば、血液、組織および他の身体の廃棄物）の処理、プリオンで感染していることが知られているか、もしくは感染していることが疑われる動物を収容するために使用された部屋、ケージなどの処理、ＢＳＥ感染した領域（屠殺場、食品加工設備などが挙げられる）の汚染除去、医療デバイスの再処理、消毒システムもしくは滅菌システムの汚染除去、抗真菌効果、抗ウイルス効果、抗結核菌細菌効果および抗細菌効果ならびに抗プリオン効果を有する薬、医薬および洗浄剤の処方が挙げられる。
【００２３】
上記組成物は、一種以上のフェノールを含有する。適切なフェノールとしては、アルキル、クロロおよびニトロで置換されたフェノールおよびビフェノールならびにこれらのカルボン酸が挙げられる。例示的なフェノールとしては、フェノール；２，３−ジメチルフェノール；３，５−ジメトキシフェノール（３，５−ＤｉＭｅＯｐｈｅｎｏｌ）；２，６−ジメトキシフェノール（２，６−ＤｉＭｅＯｐｈｅｎｏｌ）；ｏ−フェニルフェノール（ＯＰＰ）；ｐ−第三級アミルフェノール（ＰＴＡＰ）；ｏ−ベンジル−ｐ−クロロフェノール（ＯＢＰＣＰ）；ｐ−クロロ，ｍ−クレゾール（ＰＣＭＣ）；ｏ−クレゾール；ｐ−クレゾール；２，２−メチレンビス（ｐ−クロロフェノール）；３，４−ジヒドロキシ安息香酸（３，４ＤｉＯＨ  ｂｅｎｚｏｉｃ）；ｐ−ヒドロキシ安息香酸；カフェイン酸；プロトカテク酸；ｐ−ニトロフェノール；３−フェノールフェノール；２，３−ジメトキシフェノール（２，３ＤｉＭｅ−ｐｈｅｎｏｌ）；チモール；４−クロロ，３−メトキシフェノール；ペンタクロロフェノール；ヘキサクロロフェン；ｐクロロ−ｍ−キシラノール（ＰＣＭＸ）；トリクロサン；２，２−メトキシ−ビス（４−クロロ−フェノール）；およびパラ−フェニルフェノールが挙げられるが、これらに限定されない。
【００２４】
比較的疎水性が高いフェノールは、上記組成物においてより有効である傾向があることが見出されている。Ｐｃは、計算されたオクタノール−水分配係数と定義される。より高いＬｏｇ  Ｐ値は、物質がより疎水性であることを示す。Ｐｃ値を決定するのに利用可能なソフトウエアは、例えば、Ａｄｖａｎｃｅｄ  Ｃｈｅｍｉｓｔｒｙ  Ｄｅｖｅｌｏｐｍｅｎｔ  Ｓｏｆｔｗａｒｅから入手可能である。好ましくは、上記組成物中のフェノールのうちの少なくとも１つは、ＡＣＤソフトウエア方法で測定される場合、少なくとも２．５、より好ましくは、少なくとも約３、および約６．０までのＬｏｇ  Ｐｃ値を有する。Ｌｏｇ  Ｐｃ値が高くなるにつれて（より疎水性）、より多くのフェノールが吸収されることが見出されている。従って、より低いフェノール濃度は、そのフェノールが疎水性である場合に使用され、所望のプリオン破壊を達成し得る。３．３５のＬｏｇ  Ｐｃ値を有する、１つの特に好ましいフェノールは、ＰＣＭＸである。
【００２５】
上記組成物は、好ましくは酸性であり、すなわち、中性のｐＨ（ｐＨ７）以下を有し、より好ましくは、約６以下のｐＨを有し、最も好ましくは、約２．５のｐＨを有する。例えば、上記組成物は、ｐＨを調整するために添加される有機酸または無機酸（例えば、塩酸、グリコール酸、ホスホン酸など）を含有し得る。上記組成物は、アルカリ性であり得、例えば、塩基（例えば、水酸化ナトリウム、水酸化カリウムなど）がｐＨを調整するために添加されることもまた企図される。好ましくは、アルカリ度は、５０％以下のフェノールがイオン化されているようなアルカリ度である。
【００２６】
上記組成物は、水または他の適切な溶媒を含む。上記組成物は、好ましくは、濃縮物として提供され、この濃縮物は、水で希釈されて、汚染除去に適切な濃度の汚染除去溶液を形成する。好ましくは、上記濃縮物は、約１重量％の溶液に希釈される。より厳密な汚染除去のために、上記濃縮物は、より高濃度で（例えば、約５重量％以上の溶液）使用され得る。他で特に明記されない限り、全ての濃度が上記濃縮物に対して提供される。
【００２７】
好ましくは、上記濃縮物の総モルフェノール濃度は、約０．１Ｍ〜１．０Ｍ以上であり、より好ましくは、約０．２Ｍ以上であり、最も好ましくは、約０．５Ｍ以上である。有害なタンパク質（例えば、プリオン）の少なくとも９９％を破壊する効果的な組成物は、約０．２Ｍ〜０．５Ｍ以上の合計フェノール濃度で処方されている。
【００２８】
上記組成物はまた、特定の用途に依存して、他の成分を含み得る。適切な成分としては、水の硬度の塩を除去するための金属イオン封鎖剤、共溶媒、界面活性剤、腐食防止剤、緩衝剤などが挙げられる。
【００２９】
金属イオン封鎖剤は、好ましくは、有機酸、無機酸またはそれらの混合物である。適切な有機酸としては、モノ脂肪族カルボン酸およびジ脂肪族カルボン酸、ヒドロキシ含有有機酸、ならびにそれらの混合物が挙げられる。例示的な金属イオン封鎖剤としては、以下が挙げられる：グリコール酸、サリチル酸、コハク酸、乳酸、酒石酸、ソルビン酸、スルファミン酸、酢酸、安息香酸、カプリン酸、カプロン酸、シアヌル酸、ジヒドロ酢酸、ジメチルスルファミン酸、プロピオン酸、ポリアクリル酸、２−エチル−ヘキサン酸、ギ酸、フマル酸、１−グルタミン酸、イソプロピルスルファミン酸、ナフテン酸、シュウ酸、吉草酸、ベンゼンスルホン酸、キシレンスルホン酸、クエン酸、クレゾール酸、ドデシルベンゼンスルホン酸、リン酸、ホウ酸、ホスホン酸、およびそれらの組み合わせ（グリコール酸が好ましい）。アルカリ性組成物については、酸性金属イオン封鎖剤が省略され得る。
【００３０】
酸は好ましくは、上記濃縮組成物の約２〜２５％の濃度で、より好ましくは約５〜２０％の濃度で、より好ましくは約１５〜２０％の濃度で存在する。
【００３１】
適切な共溶媒としては、炭素原子、水素原子および酸素原子のみを含むポリオールが挙げられる。例示的なポリオールは、Ｃ２〜Ｃ６ポリオール（例えば、１，２−プロパンジオール、１，２−ブタンジオール、ヘキシレングリコール、グリセロール、ソルビトール、マンニトール、およびグルコース）である。高級グリコール、ポリグリコール、ポリオキシドおよびグリコールエステルもまた、共溶媒として企図される。これらの例としては、以下が挙げられる：アルキルエーテルアルコール（例えば、メトキシエタノール、メトキシエタノールアセテート、ブトキシエタノール（ブチルセロソルブ）、プロピレングリコール、ポリエチレングリコール、ポリプロピレングリコール、ジエチレングリコールモノエチルエーテル、ジエチレングリコールモノプロピルエーテル、ジエチレングリコールモノブチルエーテル、トリプロピレングリコールメチルエーテル、プロピレングリコールメチルエーテル、ジプロピレングリコールメチルエーテル、プロピレングリコールメチルエーテルアセテート、ジプロピレングリコールメチルエーテルアセテート、エチレングリコールｎ−ブチルエーテル、１，２−ジメトキシエタン、２−エトキシエタノール、２−エトキシ−エチルアセテート、フェノキシエタノール、およびエチレングリコールｎ−プロピルエーテル）。共溶媒の組み合わせが使用され得る。上記ポリオールは、好ましくは、少なくとも１０％、より好ましくは少なくとも２０％の濃度として存在し、最大４０％までであり得る。
【００３２】
適切な界面活性剤としては、アニオン性界面活性剤、カチオン性界面活性剤、非イオン性界面活性剤、両性イオン性界面活性剤が挙げられる。アニオン性界面活性剤（例えば、アルキルアリールアニオン性界面活性剤）が特に好ましい。例示的な界面活性剤としては、ドデシルベンゼンスルホン酸および１−オクタンスルホン酸ナトリウム、ならびにそれらの組み合わせが挙げられる。
【００３３】
また、有用なアニオン性界面活性剤は、以下である：サルフェート、スルホネート（特にＣ１４〜Ｃ１８スルホネート）、スルホン酸、エトキシレート、サルコシネート、およびスルホスクシネート（例えば、ラウリルエーテル硫酸ナトリウム、ラウリル硫酸トリエタノールアミン、ラウリル硫酸マグネシウム、スルホコハク酸エステル、ラウリル硫酸アンモニウム、スルホン酸アルキル、ラウリル硫酸ナトリウム、αオレフィンスルホン酸ナトリウム、硫酸アルキル、硫酸化アルコールエトキシレート、硫酸化アルキルフェノールエトキシレート、キシレンスルホン酸ナトリウム、アルキルベンゼンスルホネート、トリエタノールアミンドデシルベンゼンスルホネート、ドデシルベンゼンスルホン酸ナトリウム、ドデシルベンゼンスルホン酸カルシウム、キシレンスルホン酸、ドデシルベンゼンスルホン酸、Ｎ−アルコイルサルコシネート、ラウロイルサルコシン酸ナトリウム、ジアルキルスルホスクシネート、Ｎ−アルコイルサルコシン、ラウロイルサルコシン、およびこれらの組み合わせ）。
【００３４】
上記組成物はまた、１種以上の可溶性無機塩（例えば、塩化ナトリウム）を含有し得る。塩化ナトリウムは、特定のフェノール（特に、ハロゲン化されていないフェノール（例えば、ＯＰＰ））に対する効力を増加させることが見出されている。一方、ハロゲン化フェノール（例えば、ＰＣＭＸ）の効力は、あまり顕著ではない。
【００３５】
例示的な濃縮組成物は、以下の通りである：
【００３６】
【表１−１】
2010131430.tif 000003
１つの実施形態において、上記ＯＢＰＣＯＰまたはＯＢＰＣＯＰの少なくともいくつかは、これらのフェノールのいずれかよりも有効なフェノール（例えば、ＰＣＭＸ）で置き換えられる。
【００３７】
このような組成物は、水中に濃縮物が１重量％の濃度に希釈された場合、プリオンで汚染された表面に対して有効であることが示されている。不活性化プリオンの機構は完全には理解されていないが、上記フェノールはプリオンタンパク質と複合体を形成し得、そのプリオンタンパク質を無毒にすることが企図される。その結果、上記プリオンは、さらなるプリオンを産生するように複製し得ない。本発明者らによる研究は、上記フェノールが一般的に、プリオンを分解しないことを示唆する。プリオンタンパク質の三次元構造の変化はフェノールとの相互作用に起因し、そのプリオンを不活性化することが提唱される。
【００３８】
さらに、上記組成物は、従来のプリオン処理（例えば、高温または高濃度の次亜塩素酸ナトリウムもしくは水酸化ナトリウム）と比較した場合、広範囲の表面と適合性である。
【００３９】
上記組成物は、種々の方法（噴霧、コーティング、浸漬などを含む）で適用され得る。１つの実施形態において、上記組成物は、ゲルの形態で適用される。この実施形態において、増粘剤（例えば、天然セルロースまたは修飾セルロース）は、粘度を上昇させるために処方物に添加される。
【００４０】
他の合成ポリマー（ポリアセテートを含む）、天然石（ｎａｔｕｒａｌ  ｇｅｍｓ）、無機ポリマー（例えば、合成粘土）、界面活性剤（例えば、ブロックコポリマーおよびカチオン性界面活性剤）は、増粘剤として使用され得る。
【００４１】
上記組成物は、室温で適用され得るが、より高温が好ましい。上記組成物を少なくとも３０℃に、より好ましくは約４０℃以上に加熱することによって、プリオンの不活性化に必要とされる時間の実質的な短縮が達成されることが見出されている。
【００４２】
上記組成物の種々の処方物の効力は、ヒトプリオンまたは他の動物のプリオンを使用して調査され得る。あるいは、プリオンモデル（例えば、ウシ血清アルブミン（ＢＳＡ）のようなタンパク質）は、処方物を評価するために使用され得る。好ましいプリオンモデルは、回腸流体依存性生物体（ｉｌｅａｌ  ｆｌｕｉｄ  ｄｅｐｅｎｄａｎｔ  ｏｒｇａｎｉｓｍ）（ＩＦＤＯ）である。ＩＦＤＯは、Ｂｕｒｄｏｎら（Ｂｕｒｄｏｎ、Ｊ．Ｍｅｄ．Ｍｉｃｒｏ．、２９：１４５−１５７（１９８９））によって同定され、多くの点において（例えば、消毒方法および滅菌方法に対する耐性において）プリオンと類似していると記載された。実験室においてＩＦＤＯを人工的に培養し、それらを検出する能力に起因して、ＩＦＤＯは、プリオン不活性化に対する汚染除去プロセスの効果を研究するための良好なモデル系を提供する。例示的な実施形態において、ＩＦＤＯは、改変されたマイコプラズマベースのブロス（Ｏｘｏｉｄ）中で人工的に培養され、段階希釈して同様の寒天上にプレートすることによって定量される。汚染除去処方物の効力は、好ましくは、上記組成物の使用を模倣して、室温で、水中の約１％希釈の濃縮組成物において、懸濁試験によって研究される。適切な接触時間の後、アリコートがサンプリングされ、段階希釈して、改変マイコプラズマ寒天にプレートすることによって定量される。このプレートは、好ましくは、約３７℃で数時間、好ましくは約４８時間インキュベートされる。このプレートを試験し、目に見えるコロニーの数を数える。次いで、Ｌｏｇ減少値が決定され得る（Ｌｏｇ減少値は、取り除かれた生物体の数の指標であり、（生物体の初期数のＬｏｇ１０）−（処理後の生物体の数のＬｏｇ１０）の間の差として表される（例えば、６というｌｏｇ減少値は、１００万の初期の生物体から、最大で１の生物体が処理後に残ることを意味する））。
【００４３】
ウシ血清アルブミン（ＢＳＡ）を用いてＳＤＳ−ＰＡＧＥ技術を使用する分解研究は、ＢＳＡが、消毒薬ＬｐＨＴＭによっていかなる有意な程度にも分解しないことを示す。従って、ＬｐＨＴＭおよび他のフェノールベースの組成物は、タンパク質の二次構造または三次構造に対してわずかな効果を有し、そのタンパク質はもはや有毒でなくなることが提唱されている。
【００４４】
上記組成物中のフェノールの溶解性は、タンパク質が複合体化する程度に対して効果を有することが見出されている。一般的に、上記処方物中のフェノールの溶解性が低くなるほど、複合体化の程度が大きくなる（すなわち、フェノール処方物がプリオン不活性化に、より有効になる）。溶解性は、上記処方物中のフェノールおよび他の成分の種類および濃度（例えば、使用される溶媒および共溶媒）の選択によって影響を受ける。
【００４５】
本発明の範囲を限定することを意図することなく、以下の実施例は、種々の消毒組成物の模倣されたプリオンモデルに対する効果を示す。
【実施例】
【００４６】
（実施例１：上記組成物の効力に対するフェノール濃度の効果の研究）
種々の組成物の抗プリオン（ｐｒｉｏｃｉｄａｌ）活性に対する種々の処方物効果の寄与を試験するために、ＩＦＤＯを使用して、ｌｏｇ減少値を応答として、実験を行う。組成物Ｉ〜ＶＩＩの成分を、表１に列挙する。組成物Ｉは、市販の処方物ＬｐＨＴＭである。
【００４７】
ＩＦＤＯを、改変されたマイコプラズマブロスにおいて人工的に培養し、段階希釈して同様の寒天にプレートすることによって定量する。組成物Ｉ〜ＶＩＩの効力を、室温での、水中の１％希釈の組成物において、懸濁試験を行うことによって研究する。適切な接触時間（例えば、１０分間）後、アリコートをサンプリングし、段階希釈して改変マイコプラズマ寒天にプレートすることによって定量する。３７℃、４８時間のインキュベーション後、上記プレートを目に見えるコロニーを数えることによって評価し、ｌｏｇ減少値を決定する。上記組成物を現存のフェノール生成物と比較した結果を、表１に示す。
【００４８】
【表１−２】
2010131430.tif 000004
＊初期カウント：１ｍＬあたりＬｏｇ１０６．７。
【００４９】
ＬｐＨＴＭでの比較研究により、処理後、４．０のＬｏｇ減少値のＩＦＤＯが得られる。得られたＬｏｇ減少値に基づいて、実施例ＶＩＩが最良であった。なぜなら、６．７のＬｏｇ減少値が得られたからである（すなわち、目に見えるコロニーはなかった）。
【００５０】
（実施例２：ほぼ等モル濃度のフェノールの効果）
ほぼ等モル濃度の種々のフェノール（溶解性が可能な場合に可能である）を、実施例１の方法によって研究する。表２は、処方物ＩＸ〜ＸＸについての成分重量および得られた結果を示す。
【００５１】
【表２−１】
2010131430.tif 000005
【００５２】
【表２−２】
2010131430.tif 000006
得られたＬｏｇ値に基づいて、２，４，５−トリクロロフェノールを含む処方物ＸＩＶは、ＬｐＨで達成されたＬｏｇ減少値（４．０）よりも良好な最も大きなＬｏｇ減少値（４．９）を達成した。
【００５３】
（実施例３：結果と分配係数（Ｐｃ）との相関）
Ｐｃは、計算されたオクタノール−水分配係数と定義される。ｌｏｇ  Ｐｃ値は、２つの方法を使用して計算される。１つ目の方法は、Ａｌｃｈｅｍｙ  ２０００  Ｍｏｌｅｃｕｌａｒ  Ｍｏｄｅｌｉｎｇ  Ｓｏｆｔｗａｒｅ（Ｔｒｉｐｏｓ）をＳＴＥＲＩＳ  Ｃｏｒｐｏｒａｔｉｏｎによって開発されたデータセットと一緒に使用する。２番目の方法は、Ａｄｖａｎｃｅｄ  Ｃｈｅｍｉｓｔｒｙ  Ｄｅｖｅｌｏｐｍｅｎｔ（ＡＣＤ）Ｓｏｆｔｗａｒｅ  Ｓｏｌａｒｉｓ  ｖ４．６７（著作権１９９４−２００２  ＡＣＤ）を使用する。各フェノールについて計算されたＬｏｇ  Ｐｃ値を、表３に示す：これらの値を、実施例２で得られたＬｏｇ減少コロニー値と比較する。
【００５４】
【表３】
2010131430.tif 000007
図１は、ＩＦＤＯのＬｏｇ減少値対Ｌｏｇ  Ｐｃ値（Ａｌｃｈｅｍｙ  ２０００）およびＩＦＤＯのＬｏｇ減少値対Ｌｏｇ  Ｐｃ値（ＡＣＤ）を示す。Ｌｏｇ  Ｐｃ値（Ａｌｃｈｅｍｙ  ２０００）とＬｏｇ  Ｐｃ値（ＡＣＤ）との相関を、図２に示す。
【００５５】
トリクロサンおよびチモールを除いて、フェノールの活性は、そのフェノールに関連するＬｏｇ  Ｐｃと相関するようにみえる。
【００５６】
チモールおよびトリクロサンは、それらは明らかにフィットしなかったので、このグラフおよび次のグラフには含めなかった。Ｌｏｇ  Ｐｃを計算するための２つの方法は、互いにかなり十分一致する。
【００５７】
一般的に、２と６．５との間のｌｏｇ  Ｐｃ値を有するフェノールは、上記方法のいずれかによって測定された場合、向上した活性を示す。
【００５８】
ＬｐＨＴＭ生成物中のフェノールは、効力にとって最も有意な必要要件であることが見出され、ＯＢＰＣＰ＞＞ＯＰＰ＞ＰＴＡＰと評価された。あいまいな濃度のこれらのフェノールで試験した場合、最適な組み合わせは、ＯＰＢＣＰまたはＯＰＰのいずれかを含む処方物であることが示された；ＰＴＡＰはあまり効果がなかった。
【００５９】
プリオンに対するフェノールの効果は、タンパク質の分解に関与しないようである。これは、ＢＳＡを用いたＳＤＳ−ＰＡＧＥによるタンパク質分解研究において示された。フェノール処方物に曝露した場合、上記タンパク質はインタクトにみえた。フェノールは、プリオンタンパク質の二次構造もしくは三次構造に対してか、またはプリオンタンパク質を非感染性にするいくつかの点において、予測されなかったわずかな効果を有すると結論付けられ得る。
【００６０】
（実施例４：フェノール処方活性に対する温度の効果）
ＩＦＤＯを、改変されたマイコプラズマブロスにおいて人工的に培養し、段階希釈して同様の寒天にプレートすることによって定量する。フェノール処方活性に対する温度の効果を、水中の１％希釈の組成物において、種々の温度（２０℃および４０℃）で懸濁試験をすることによって研究する。５分間、１０分間、１５分間および２０分間の接触時間後、アリコートをサンプリングし、段階希釈して改変マイコプラズマ寒天にプレートすることによって定量する。３７℃、４８時間のインキュベーション後、上記プレートを目に見えるコロニーを数えることによって評価し、ｌｏｇ減少値を決定する。２０℃と４０℃とにおいてフェノール組成物（ＬｐＨ）を比較した結果を、図３に示す。
【００６１】
図３に示されるように、ＩＦＤＯレベルは、２０℃での１５分間と比べて、４０℃での５分間において、検出可能なレベル以下（すなわち、１  Ｌｏｇより大きい）に減少した。
【００６２】
（実施例５：フェノール処方物とＢＳＡタンパク質との相互作用）
種々のフェノールを含むフェノール溶液を、以下の通りに調製した：可溶化剤（例えば、アニオン性界面活性剤）を含むフェノール、有機酸、イソプロピルアルコール、グリコールおよびアミンの混合物約１．３８ｇを、９９ｍＬの水に溶解して、４ｍＭの総フェノール濃度を含む溶液を形成した。約１ｇのＢＳＡを上記フェノール溶液に添加し、約０．１５ｍＭ濃度のＢＳＡ（ＢＳＡの分子量は、約６６，０００ダルトンであると推定される）を得た。上記溶液を１５分間撹拌して、次いで１８００ｒｐｍで５分間遠心分離した。アリコートを高速液体クロマトグラフィー（ＨＰＬＣ）によって分析した。図４は、存在する開始フェノール％に対する４回の結果を示す。フェノールは、ＢＳＡによって吸収された。吸収された％は、形成された沈殿物の量と良い相関を示した。これらの結果に基づいて、％吸収は、プリオンに対するフェノールの効力を決定する良い手段である。
【００６３】
（実施例６）
実施例５からの吸収された開始濃度の％を、フェノールのＨＰＬＣ保持時間に対してプロットした。図５は、これらの値の間の相関を示す。０．８１という相関係数が得られ、ＨＰＬＣ保持時間は、上記タンパク質によるフェノールの吸収のかなり良好な指標であることを示唆している。
【００６４】
（実施例７）
いくつかのフェノールについての（コンピュータにより計算された）Ｌｏｇ  Ｐｃ値を、吸収された同等物に対してプロットした。この結果は、Ｌｏｇ  Ｐ値がより大きくなるにつれて（より疎水性）、より多くのフェノールが吸収されることを示す。従って、より低いフェノール濃度は、フェノールが疎水性である場合に使用されて、所望のプリオン破壊を達成し得る。
【００６５】
（実施例８）
変化する量のブラインおよびフェノールを含む１００ｍＬの水を、フェノール取り込みについて研究した。この結果を表４に示す。賦形剤は、界面活性剤の混合物を含んだ。
【００６６】
【表４】
2010131430.tif 000008
この結果は、溶液中のブラインの存在は、２．５重量％または５重量％存在する場合、フェノールの取り込みに対して有意に影響を与えたことを示す。
【図１】
2010131430.tif 000009
【図２】
2010131430.tif 000010
【図３】
2010131430.tif 000011
【図４】
2010131430.tif 000012
【図５】
2010131430.tif 000013